(57)【要約】【課題】フローリング、じゅうたん、カーペット、畳等のすべての床面にたいして、十分に高い清掃効果を得ることのできる、掃除機用床ノズルの回転ロータを提供する。【解決手段】床面に付着している塵埃を吸引する為の掃除機用床ノズルの回転ロータにおいて、前記回転ロータは、清掃体、ロータ、軸受け、及びブラケットより形成されてあり、前記清掃体は、ブラシ、起毛布、ブレードのいずれか１種類以上が使用されてあり、前記ブラシは、基布及び毛腰の異なる複数種類のブラシ繊維より形成され、前記ブラシ繊維は前記基布の長手方向にたいして互いに隣接するよう並列に形成されてあるものである。【選択図】        図６
2004261539.tif 000002
【特許請求の範囲】
【請求項１】
床面に付着している塵埃を吸引する為の掃除機用床ノズルの回転ロータにおいて、前記回転ロータは、清掃体、ロータ、軸受け、及びブラケットより形成されてあり、前記清掃体は、ブラシ、起毛布、ブレードのいずれか１種類以上が使用されてあり、前記ブラシは、基布及び毛腰の異なる複数種類のブラシ繊維より形成され、前記ブラシ繊維は前記基布の長手方向にたいして互いに隣接するよう並列に形成されてあることを特徴とする掃除機用床ノズルの回転ロータ。
【発明の詳細な説明】
【０００１】
【発明の属する技術分野】
本発明は、掃除機用床ノズルに使用する回転ロータに関するものである。
【０００２】
【従来の技術】
従来の回転ロータを、以下図１から図３を用いて説明する。図１は、従来の掃除機の吸塵ノズル内に組み付けた回転ブラシに用いるブラシを前面側から見た斜視図である。図２は、図１のブラシの製法を示す平面図である。図３は、図１のブラシの取り付け状態を示す断面図である。図１から図３において、１はブラシ、２は取付用部材、３は綴じ糸、４はブラシ本体、５は帯板状体、６は回転ブラシ、７は取付溝、８はロータである。
【０００３】
従来の掃除機用床ノズルに使用する回転ロータに関しては、様々な改良がなされ、回転ロータに使用するブラシとして、例えば、図１から図３の如く、取付用部材２にたいして、Ｕ字形に２つ折りされたブラシ本体４を、綴じ糸３にて綴じ込んで帯板状体５を製作後、中央のＸ−Ｘ部から２つに分断して、２本のブラシ１を製作し、ロータ８の取付溝７に挿入して回転ブラシ６を製作する技術が、特開２００１−１６１６１１号にて開示されてある。
【０００４】
【発明が解決しようとする課題】
従来の掃除機用床ノズルに使用する回転ロータにおいては、上記の如くの様々な改良を実施して、床面に付着している塵埃等を清掃していた。ところで、一般には、床面としては、フローリング、じゅうたん、カーペット、畳等があるが、塵埃等を清掃する方法としては、回転ロータを回転させて、床ノズルに吸い込む方法が採用されていた。本来、フローリングの床面は、ほうき等で塵埃等を掃いた後、乾いた布等で拭くことにより清掃効果が高められる。また、じゅうたん、カーペット、畳等の床面は、塵埃等を掻き出した後、吸い込むことにより清掃効果が高められる。その為、従来の回転ロータにおいては、フローリング、じゅうたん、カーペット、畳等のすべての床面にたいして、十分に高い清掃効果を得ることは、できなかった。その為、フローリング、じゅうたん、カーペット、畳等のすべての床面にたいして、高い清掃効果を得ることのできる、掃除機用床ノズルの回転ロータの技術が求められていた。
【０００５】
【課題を解決するための手段】
本発明は、次のように構成したものである。
（１）床面に付着している塵埃を吸引する為の掃除機用床ノズルの回転ロータにおいて、前記回転ロータは、清掃体、ロータ、軸受け、及びブラケットより形成されてあり、前記清掃体は、ブラシ、起毛布、ブレードのいずれか１種類以上が使用されてあり、前記ブラシは、基布及び毛腰の異なる複数種類のブラシ繊維より形成され、前記ブラシ繊維は前記基布の長手方向にたいして互いに隣接するよう並列に形成されてあるものである。
【０００６】
【発明の実施の形態】
実施の形態１
図４から図１０に実施の形態１を示す。図４は、本発明の実施の形態１の掃除機用床ノズルの回転ロータを使用した床ノズルの断面図である。図４において、９は開口、１０は床ノズル、１１は回転ロータ、１２はロータ、１３はブラシである。図５は、本発明の実施の形態１の掃除機用床ノズルの回転ロータを示す正面図である。図５において、１４、１５はブラケット、１６は軸受けである。図６は、図５の断面図である。図６において、１７は取付溝である。図７は、図５に使用するブラシの断面図である。図７において、１９は基布、２０は段差、２１、２２はブラシ繊維である。図８は、図７のブラシを前面側から見た斜視図である。図９及び図１０は、本発明の実施の形態１の掃除機用床ノズルの回転ロータの使用状態を示す断面図である。図９において、５２は床面である。また、図１０において、６２は床面、６３は清掃布である。
【０００７】
本発明の掃除機用床ノズルの回転ロータ１１は、図５の如く、ロータ１２、清掃体として使用されてあるブラシ１３、ブラケット１４、１５及び軸受け１６より形成されてある。ロータ１２は、金属製の概円筒形状であり、外周には、ロータ１２の長手方向の軸の周りに捩りを加えて、図６の如く、円周等分４箇所に取付溝１７が形成されてある。また、ブラシ１３は、取付溝１７にたいして、円周等分４箇所に挿入固定されてある。ブラケット１５、１６は、ロータ１２にたいして、両端から挟み込むように挿入固定されてあり、ブラケット１５、１６の外側には、軸受け１６が形成されてある。また、回転ロータ１１は、図４の如く、床ノズル１０に内蔵されてある。
【０００８】
ブラシ１３は、図７及び図８の如く、基布１９及びブラシ繊維２１、２２より形成されてある。基布１９は、概短冊形状に形成されてあり、上面には、段差２０を有して、ブラシ繊維２２が両側からブラシ繊維２１に挟み付けられるように形成されてある。また、ブラシ繊維２１及びブラシ繊維２２は、毛腰が異なるように形成されてあり、基布１９の長手方向にたいして、ブラシ繊維２１及びブラシ繊維２２が、互いに隣接するよう並列に形成されてある。
【０００９】
ブラシ繊維２１の材質には、ナイロン繊維が使用されてあり、ブラシ繊維２２の材質には、ポリエステル繊維が使用されてある。繊維の硬さは、ブラシ繊維２１の硬さが、ブラシ繊維２２の硬さに比べて、毛腰が強くなるように形成されてある。
【００１０】
次に、図９及び図１０を使用して、本発明の実施の形態１の掃除機用床ノズルの回転ロータの使用状態を説明する。回転ロータ１１は、図９の如く、床面５２にたいして、回転ロータ１１を回転させることにより、床面５２上の塵埃等を掻き出した後、床ノズル１０に吸い込むことにより清掃される。図９の如くの使用状態においては、床面５２がじゅうたん、カーペット、畳等の場合には、ブラシ繊維２１が、じゅうたんの奥、あるいは畳のいぐさの隙間にある塵埃等を、掻き出すことができる。また、床面５２がフローリングの場合には、ブラシ繊維２１が、床面５２の表面にある塵埃等を、掻き出すことができると共に、ブラシ繊維２２が床面５２の表面を磨き上げることができる。
【００１１】
また、回転ロータ１１は、図１０の如く、床面６２にたいして、回転ロータ１１に形成されたブラシ１３と床面６２の間に、所定の長さに設定された概短冊形状の清掃布６３が、挟み付けられてある。図１０の如くの使用状態においては、回転ロータ１１は、非回転の状態にて保持されてある。ブラシ１３は、毛腰の異なる２種類のブラシ繊維２１及びブラシ繊維２２が、段差２０を有して、ブラシ１３の長手方向にたいして互いに隣接するよう並列に形成されてある為、清掃布６３を、ブラシ１３から容易にはずれる事無く、保持することができる。したがって、床面６２がフローリング、あるいは畳の場合には、図４に記載の床ノズル１０にて、床面６２上を移動させることにより、清掃布６３にて、床面６２の表面を磨き上げることができる。
【００１２】
本発明の実施の形態１の掃除機用床ノズルの回転ロータは、上記の如くの構成となっているので、回転ロータ１１を回転させて使用した場合においては、床面５２がじゅうたん、カーペット、畳等の場合には、ブラシ繊維２１が、じゅうたんの奥、あるいは畳のいぐさの隙間にある塵埃等を、掻き出すことができる。また、床面５２がフローリングの場合には、ブラシ繊維２１が、床面５２の表面にある塵埃等を、掻き出すことができると共に、ブラシ繊維２２が床面５２の表面を磨き上げることができる。
【００１３】
また、回転ロータ１１を非回転の状態にて使用した場合においては、ブラシ１３は、毛腰の異なる２種類のブラシ繊維２１及びブラシ繊維２２が、段差２０を有して、ブラシ１３の長手方向にたいして互いに隣接するよう並列に形成されてある為、清掃布６３を、ブラシ１３から容易にはずれる事無く、保持することができる。したがって、床面６２がフローリング、あるいは畳の場合には、図４に記載の床ノズル１０にて、床面６２上を移動させることにより、清掃布６３にて床面６２の表面を磨き上げることができる。
【００１４】
本発明の実施の形態１の掃除機用床ノズルの回転ロータは、上記の如くの構成となっているが、ブラシ１３のブラシ繊維の材質、硬さ、段差、構造等については、目的に応じて、例えば、ナイロン繊維、ポリエステル繊維以外の繊維を使用したり、最適な硬さを設定したり、段差を無くしたり、中央部が突出するよう段差を設定したり、ブラシ繊維の種類あるいは配列を変更しても、何ら支障は無い。また、清掃布の材質についても、目的に応じて、例えば、不織布を使用したり、メッシュ材料を使用しても、何ら支障は無い。さらにまた、清掃体の構成についても、ブラシ１３のみならず、起毛布、ブレードを組み合わせて使用しても、何ら支障は無い。
【００１５】
次に、図１１に実施の形態１の他の実施例を示す。図１１は、本発明の実施の形態１の他の実施例の掃除機用床ノズルの回転ロータを示す断面図である。図１１において、１３はブラシ、２１は回転ロータ、２３、３３、４３は起毛布、３２はロータである。本発明の実施の形態１の他の実施例の掃除機用床ノズルの回転ロータは、図１１の如く、ブラシ１３、及び起毛布２３、３３、４３が、ロータ３２の外周にたいして、円周等分６箇所に挿入固定されてある。ブラシ１３、及び起毛布２３、３３、４３の繊維の高さは、起毛布４３が最も高く、起毛布３３、起毛布２３、ブラシ１３の順に、低く設定されてある。また、起毛布の繊維の硬さは、起毛布２３が最も硬く、起毛布３３、起毛布４３の順に柔らかく設定されてある。
【００１６】
本発明の実施の形態１の他の実施例の掃除機用床ノズルの回転ロータ２１は、上記の如くの構成となっているので、床面にさまざまな深さの段差、あるいは溝等が形成されてある場合であっても、異なる繊維の高さと硬さを有するブラシ１３、及び起毛布２３、３３、４３を、床面に接触させることができる。その為、使用時には、回転ロータ２１の回転により、床面にさまざまな深さの段差、あるいは溝等が形成されてある場合であっても、的確かつ迅速に、床面の塵埃等を掻き出して、清掃することができる。
【００１７】
本発明の実施の形態１の他の実施例の掃除機用床ノズルの回転ロータ２１は、上記の如くの構成となっているが、ブラシ、及び起毛布の詳細寸法、材質、数量、配設状態等については、目的に応じて、例えば、円周等分６箇所以外の配設状態を使用しても、何ら支障は無い。
【００１８】
【発明の効果】
以上の説明から明らかなように、本発明の実施の形態の掃除機用床ノズルの回転ロータは、次に示すような効果を得ることができる。
【００１９】
回転ロータを回転させて使用した場合においては、床面がじゅうたん、カーペット、畳等の場合には、繊維高さの高いブラシ繊維が、じゅうたんの奥、あるいは畳のいぐさの隙間にある塵埃等を掻き出すことができる。また、床面がフローリングの場合には、繊維高さの高いブラシ繊維が、床面の表面にある塵埃等を、掻き出すことができると共に、繊維高さの低いブラシ繊維が、床面の表面を磨き上げることができる。
【００２０】
また、回転ロータを非回転の状態にて使用した場合においては、ブラシは、毛腰の異なる２種類のブラシ繊維が、段差を有して、ブラシの長手方向にたいして互いに隣接するよう並列に形成されてある為、清掃布を、ブラシから容易にはずれる事無く、保持することができる。したがって、床面がフローリング、あるいは畳の場合には、床ノズルにて床面上を移動させることにより、清掃布にて、床面の表面を磨き上げることができる。
【００２１】
ブラシ及び起毛布が、ロータの外周にたいして、円周等分６箇所に挿入固定されてあり、異なる繊維の高さと硬さを有するブラシ及び起毛布を使用した場合には、床面にさまざまな深さの段差、あるいは溝等が形成されてある場合であっても、異なる繊維の高さと硬さを有するブラシ及び起毛布を、床面に接触させることができる。その為、床ノズルの使用時には、回転ロータの回転により、床面にさまざまな深さの段差、あるいは溝等が形成されてある場合であっても、的確かつ迅速に、床面の塵埃等を掻き出して、清掃することができる。
【図面の簡単な説明】
【図１】従来の掃除機の吸塵ノズル内に組み付けた回転ブラシに用いるブラシを前面側から見た斜視図である。
【図２】図１のブラシの製法を示す平面図である。
【図３】図１のブラシの取り付け状態を示す断面図である。
【図４】本発明の実施の形態１の掃除機用床ノズルの回転ロータを使用した床ノズルの断面図である。
【図５】本発明の実施の形態１の掃除機用床ノズルの回転ロータを示す正面図である。
【図６】図５の断面図である。
【図７】図５に使用するブラシの断面図である。
【図８】図７のブラシを前面側から見た斜視図である。
【図９】本発明の実施の形態１の掃除機用床ノズルの回転ロータの使用状態を示す断面図である。
【図１０】本発明の実施の形態１の掃除機用床ノズルの回転ロータの使用状態を示す断面図である。
【図１１】本発明の実施の形態１の他の実施例の掃除機用床ノズルの回転ロータを示す断面図である。
【符号の説明】
１、１３  ブラシ  ２  取付用部材  ３  綴じ糸  ４  ブラシ本体
５  帯板状体  ６  回転ブラシ  ７、１７  取付溝
８、１２、３２  ロータ  ９  開口  １０  床ノズル
１１、２１  回転ロータ  １４、１５  ブラケット  １６  軸受け
１９  基布  ２０  段差  ２１、２２  ブラシ繊維
２３、３３、４３  起毛布  ５２、６２  床面  ６３  清掃布
【図１】
2004261539.tif 000003
【図２】
2004261539.tif 000004
【図３】
2004261539.tif 000005
【図４】
2004261539.tif 000006
【図５】
2004261539.tif 000007
【図６】
2004261539.tif 000008
【図７】
2004261539.tif 000009
【図８】
2004261539.tif 000010
【図９】
2004261539.tif 000011
【図１０】
2004261539.tif 000012
【図１１】
2004261539.tif 000013